(57)【要約】      （修正有）【課題】背負い鞄として使用する時に背中が汚れることを防ぐことができる折り畳み椅子付き背負い鞄を提供する。【解決手段】互いに連結された第１フレーム２１と第２フレーム２２、及び、座面部２３を備える折り畳み椅子２と、座面部２３の下方に位置する背負い鞄１とを備える折り畳み椅子付き背負い鞄であって、背負い鞄１は、背当て部の下端側に固着された収納蓋１４を備え、収納蓋１４は、折り畳み椅子２として使用する場合、本体部１１の背当て部に備えられた背負いベルトを覆い収め、背当て部の上部側で係止し、背負い鞄１として使用する場合、本体部１１に係止されている収納蓋１４を開き、背負いベルトを出現させ、収納蓋１４が第１フレーム２１と第２フレーム２２の下部側を覆い包む。【選択図】図５
0003218913.tif 000002
【実用新案登録請求の範囲】
【請求項１】
互いに連結された第１フレームと第２フレーム、及び、前記第１フレームと前記第２フレームの上辺の間に張設された座面部を備える折り畳み椅子と、
前記座面部の下方に位置する背負い鞄と
を備える折り畳み椅子付き背負い鞄であって、
前記背負い鞄は、背当て部の下端側に固着された収納蓋を備え、
前記収納蓋は、
折り畳み椅子として使用する場合、本体部の前記背当て部に備えられた背負いベルトを覆い収め、前記背当て部の上部側で係止し、
背負い鞄として使用する場合、前記本体部に係止されている前記収納蓋を開き、前記背負いベルトを出現させ、前記収納蓋が前記第１フレームと前記第２フレームの下部側を覆い包むことを特徴とする折り畳み椅子付き背負い鞄。
【請求項２】
前記収納蓋は、係止部によって係止されることを特徴とする請求項１に記載の折り畳み椅子付き背負い鞄。
【請求項３】
前記背負い鞄は、前記座面部の下部側に固着されていることを特徴とする請求項１又は請求項２に記載の折り畳み椅子付き背負い鞄。
【請求項４】
前記第１フレームは、前記本体部の側面を囲むように取り付けられた略矩形状からなる部材であり、前記第２フレームは前記第１フレームの外側に配設され、連結部を介してX字状に交差して回動可能に連結されていることを特徴とする請求項１から請求項３のいずれかに記載の折り畳み椅子付き背負い鞄。
【請求項５】
前記折り畳み椅子の高さは、前記本体部の高さよりも長いことを特徴とする請求項１から請求項４のいずれかに記載の折り畳み椅子付き背負い鞄。
【請求項６】
前記折り畳み椅子と前記本体部は、前記第１フレームと前記第２フレームがX字状に交差する箇所において、固定部材によって係止されていることを特徴とする請求項１から請求項５のいずれかに記載の折り畳み椅子付き背負い鞄。
【考案の詳細な説明】
【技術分野】
【０００１】
本考案は、旅行、キャンプ、買い物などの移動時などにおいて使用し、各種の物品を内部に収納して使用者の背中に背負うなどして使用する背負い鞄であって、休憩時には、椅子として機能することができる折り畳み椅子が付設された背負い鞄に関する。
【背景技術】
【０００２】
一般的に、リュックサックなどの背負い鞄は、重い荷物を運ぶ際には手先や腕で荷物を運ぶよりも楽であるため、長時間の移動による負担感を軽減することができる。したがって、移動時はリュックサックとして背中に背負い、疲れたときには座って休むことができる椅子付きリュックサックが多く知られている。
【０００３】
そこで、例えば、特許文献１では、リュックサック１０に第１フレーム２０、第２フレーム３０、第３フレーム４０を付設し、リュックサック１０を背負うことで第１フレーム２０、第２フレーム３０、第３フレーム４０から成る折り畳み椅子をリュックサック１０と共に背負う状態で携行できる折り畳み椅子が付設されたリュックサックが開示されている。なお、本段落の符号は特許文献１における符号である。
【先行技術文献】
【特許文献】
【０００４】
【特許文献１】実用新案登録第３０９９１４４号公報
【考案の概要】
【考案が解決しようとする課題】
【０００５】
しかしながら、先行特許文献１に記載の折り畳み椅子が付設されたリュックサックでは、休憩時にリュックサックを地面に降ろし椅子として使用すると、地面に接地する椅子の下部は土や泥などで汚れ、その後リュックサックとして使用する時は、椅子の下部が汚れたままの状態で折り畳み椅子付きリュックサックを背負うので、椅子の下部が接触する背中や腰が土などで汚れるという問題があった。
【０００６】
そのため、本考案では、背負い鞄として使用する時に背中が汚れることを防ぐことができる折り畳み椅子付き背負い鞄を提供することを目的とする。
【課題を解決するための手段】
【０００７】
〔１〕すなわち、本考案は、互いに連結された第１フレームと第２フレーム、及び、前記第１フレームと前記第２フレームの上辺の間に張設された座面部を備える折り畳み椅子と、
前記座面部の下方に位置する背負い鞄と
を備える折り畳み椅子付き背負い鞄であって、
前記背負い鞄は、背当て部の下端側に固着された収納蓋を備え、
前記収納蓋は、
折り畳み椅子として使用する場合、本体部の前記背当て部に備えられた背負いベルトを覆い収め、前記背当て部の上部側で係止し、
背負い鞄として使用する場合、前記本体部に係止されている前記収納蓋を開き、前記背負いベルトを出現させ、前記収納蓋が前記第１フレームと前記第２フレームの下部側を覆い包むことを特徴とする折り畳み椅子付き背負い鞄である。
【０００８】
〔２〕そして、前記収納蓋は、係止部によって係止されることを特徴とする前記〔１〕に記載の折り畳み椅子付き背負い鞄である。
【０００９】
〔３〕そして、前記背負い鞄は、前記座面部の下部側に固着されていることを特徴とする前記〔１〕又は前記〔２〕に記載の折り畳み椅子付き背負い鞄である。
【００１０】
〔４〕そして、前記第１フレームは、前記本体部の側面を囲むように取り付けられた略矩形状からなる部材であり、前記第２フレームは前記第１フレームの外側に配設され、連結部を介してX字状に交差して回動可能に連結されていることを特徴とする前記〔１〕から前記〔３〕のいずれかに記載の折り畳み椅子付き背負い鞄である。
【００１１】
〔５〕そして、前記折り畳み椅子の高さは、前記本体部の高さよりも長いことを特徴とする前記〔１〕から前記〔４〕のいずれかに記載の折り畳み椅子付き背負い鞄である。
【００１２】
〔６〕そして、前記折り畳み椅子と前記本体部は、前記第１フレームと前記第２フレームがX字状に交差する箇所において、固定部材によって係止されていることを特徴とする前記〔１〕から前記〔５〕のいずれかに記載の折り畳み椅子付き背負い鞄である。
【考案の効果】
【００１３】
本考案の折り畳み椅子付き背負い鞄によれば、背負い鞄の収納蓋が背負いベルトを覆い収めることができるため、休憩時に椅子として使用する場合は、背負い鞄を地面に降ろしても、背負いベルトが地面に接地することを防ぎ汚れることを防止し、移動時には背負い鞄の収納蓋を開けて本体部と収納蓋の間に収納されている背負いベルトを取り出し、椅子の汚れた下部を収納蓋で覆い包むことによって背中が汚れることを防ぐことができる。
【図面の簡単な説明】
【００１４】
【図１】本考案の折り畳み椅子付き背負い鞄を背負い鞄としての使用状態の正面図である。
【図２】本考案の折り畳み椅子付き背負い鞄の背負い鞄としての使用状態の背面図である。
【図３】本考案の折り畳み椅子付き背負い鞄を折り畳んだ時の右側面図である。
【図４】本考案の折り畳み椅子付き背負い鞄の収納蓋を開いた状態の背面図である。
【図５】本考案の折り畳み椅子付き背負い鞄を椅子として使用した時の参考斜視図１である。
【図６】本考案の折り畳み椅子付き背負い鞄を椅子として使用した時の参考斜視図２である。
【考案を実施するための形態】
【００１５】
以下、本考案に係る折り畳み椅子付き背負い鞄に関する実施の形態について、添付の図面に基づいて詳しく説明する。なお、以下に説明する実施形態は、本考案を実施するに好ましい具体例であるから、技術的に種々の限定がなされているが、本考案は、以下の説明において特に考案を限定する旨が明記されていない限り、この形態に限定されるものではない。本件出願において、明細書における上下方向は、図１における上下方向に対応するものであり、側方は、図１における左右方向である。
【００１６】
図１、図２などに示すように、本実施形態の折り畳み椅子付き背負い鞄は、主として、背負い鞄１、使用者が座る際に当接する座面部２３、折り畳み椅子２などを備えている。
【００１７】
背負い鞄１は、座面部２３の下方に位置し、内部に物品を収納する部材である。図１、図２、図６などに示すように、背負い鞄１は、本体部１１、背当て部１２、背負いベルト１３、収納蓋１４、固定部材１５などからなる。
【００１８】
本体部１１は、略矩形状からなる袋状の部材であり、使用者の背中で背負うことができる程度の大きさである。本体部１１の外周には線ファスナーが設けられており、その線ファスナーの開閉により、内部に物品を収納したり内部から物品を取り出したりすることができる。また、本体部１の表側の下方には、別の線ファスナーにより開閉可能なポケットが設けられており、そのポケットの表側にも線ファスナーにより開閉可能なポケットが設けられている。なお、本体部１は、本実施形態において袋状であるが、他の実施形態において、内部に物品を収納しうる空間が存在する限りにおいて箱状などの形状とすることもできる。
【００１９】
本体部１１の上面部１１ａは、座面部２３の裏側２３２に縫着されている。したがって、折り畳み椅子２を開くと本体部１１が座面部２３の下に収容される。具体的には、上面部１１ａは所定の間隔を隔てて座面部２３の裏側２３２の２カ所において縫着されている。上面部１１ａについては上面部１１ａの左右の一方端部から他方端部まで長手方向に沿って、そして、座面部２３については座面部２３の短手方向における一端から他端に向かってそれぞれ平行に縫着されている。上面部１１ａの長手方向における長さと座面部２３の短手方向における長さは略同一であるため、座面部２３と本体部１１を縫着しても座面部２３から本体部１１がはみ出すことはなく意匠的にもすっきりとした美観を備えている。本実施形態において、座面部２３は本体部１１に縫着されているが、他の実施形態において、座面部２３と本体部１１を線ファスナーやフックなどの係止具により着脱自在に取付けられるものでもよく、あるいは座面部２３と本体部１１を固着しないようにすることもできる。
【００２０】
本体部１１の内面部は、防水、保温、保冷機能を有する断熱部材が内設されている。例えば、熱可塑性ゴム混合物ＴＰＶ及びＰＶＣコーティング素材を用いた高周波防水型材料が熱接着されて被覆されても良い。したがって、背負い鞄１の内部に収納した収納物の温度を保つことができ、保冷、保温をすることができる。また、本体部１１の内面部は断熱部材が内設されているため、収納物の温度が使用者に伝わらず、例えば、背負い鞄１に冷たいものを収納しても背負い鞄１を背負ったときや折り畳み椅子２の座面部２３に座った時に、背中や臀部から冷たい収容物の冷たい感覚が使用者に伝わらず、快適に使用することができる。
【００２１】
背当て部１２は、使用時に使用者の背中側となる、本体部１１の背面側に位置する部材である。背当て部１２は、使用者の肩から腰あたりまでの長さを有している。背当て部１２の上部側の中央寄りに左右一対の背負いベルト１３の一端である上端側が固設されており、背当て部１２の側方の下部側に背負いベルト１３の他端側が固設されている。したがって、使用者は背負いベルト１３を介して折り畳み椅子付き背負い鞄を背負うことができる。
【００２２】
また、背当て部１２の上部側の左右側方には左右一対の第１係止部１２１が固設されており、収納蓋１４の裏側１４ａには第１係止部１２１に対向する位置であって左右側方に左右一対の第３係止部１４２が設けられている。したがって、第１係止部１２１に第３係止部１４２を係合させることによって、収納蓋１４を背当て部１２に係止することができ、背当て部１２と収納蓋１４の間に背負いベルト１３を収めることができる。
【００２３】
背負いベルト１３は、本体部１１の背当て部１２に備えられた部材であり、左右一対のベルト状部材１３１、長さ調節ベルト１３２、長さ調節部１３３からなる。
【００２４】
ベルト状部材１３１は、使用者の肩や胸に当接する帯状の部材である。ベルト状部材１３１の一端は、背当て部１２の上部側の中央寄りに縫合や接着剤などの固着手段により固設されており、他端は長さ調節部１３３に挿通され遊着されている。また、長さ調節ベルト１３２は、ベルト状部材１３１よりも幅が狭く形成されており、一端が背当て部１２の側方の下部側に固設され、他端は長さ調節部１３３に挿通され遊着されている。長さ調節部１３３は、ベルト状部材１３１と長さ調節ベルト１３２の間に位置し、ベルト状部材１３１の一端から長さ調節ベルト１３２の他端までの全体の長さを調節するための部材である。したがって、使用者は長さ調節部１３３によってベルト状部材１３１や長さ調節ベルト１３２の長さを調節することによって、使用者の身長などの体型に応じて背負いベルト１３を調節することができる。
【００２５】
収納蓋１４は、背当て部２と略同一形状であり、収納蓋１４の一方端部が背当て部１２の下端側に固設された柔軟性を有する部材である。収納蓋１４の裏側１４ａの左右側端部であって中央近傍には左右一対の第２係止部１４１が設けられている。また、上述のように、裏側１４ａには第１係止部１２１に対向する位置に、左右一対の第３係止部１４２が設けられている。本実施形態において第１係止部１２１、第２係止部１４１、第３係止部１４２は面ファスナーであるが、フック、線ファスナー、釦などでもよい。
【００２６】
したがって、折り畳み椅子付き背負い鞄を椅子として使用する場合、折り畳み椅子２の第１フレーム２１と第２フレーム２２を広げ、背当て部１２に備えられた背負いベルト１３を収納蓋１４で覆い収納し、第１係止部１２１に第３係止部１４２を係合させることによって、収納蓋１４を背当て部１２に係止することができる。そして、背負いベルト１３が背当て部１２と収納蓋１４の間に納まり、背負いベルト１３が地面に接地することがなく土などで汚れることを防ぐことができる。また、背負いベルト１３は外部からは見えず、背負い鞄として意匠的に美観のスッキリとした外観を保持することができる。
【００２７】
一方、折り畳み椅子付き背負い鞄を背負い鞄として使用する場合、まず折り畳み椅子２の第１フレーム２１と第２フレーム２２を引き寄せ、折りたたんだ状態にする。そして、第１係止部１２１に係合されている第３係止部１４２を第１係止部１２１から引き離し、収納蓋１４を開いて背負いベルト１３を出現させる。開いた状態の収納蓋１４の裏側１４ａに折り畳み椅子２の下部２１ｂ、２２ｂを外側から内側に覆うように包み込んで、第３係止部１４２を第２係止部１４１に係合させることによって、折り畳み椅子２が折り畳まれた状態を維持することができる。そして、折り畳み椅子付き背負い鞄を背負ったときに、椅子の土などで汚れた下部２１ｂ、２２ｂは収納蓋１４によって覆われているため背中が汚れることを防ぐことができる。
【００２８】
固定部材１５は、本体部１１の左右側面の中央近傍に固設された部材であって、折り畳み椅子２と本体部１１を固定する部材である。具体的には、固定部材１５は折り畳み椅子２の第１フレーム２１と第２フレーム２２がX字状に交差する連結部２４において、折り畳み椅子２と本体部１１を固定する部材である。折り畳み椅子付き背負い鞄を背負い鞄１として使用する場合は、第１フレーム２１と第２フレーム２２が開かないように締め付けることができ、安定した状態で背負い鞄１を背負うことができる。一方、折り畳み椅子付き背負い鞄を椅子として使用する場合は、第１フレーム２１と第２フレーム２２を締め付けている固定部材１５を緩めることによって第１フレーム２１と第２フレーム２２が開き、座面部２３が張架されて使用者は座面部２３に座ることができる。本実施形態において、固定部材１５は面ファスナーであるが、他の実施形態においてゴム素材、凹部と凸部からなる嵌合部材など折り畳み椅子２と背負い鞄１を固定できる部材であればよい。
【００２９】
掛止部１６は、背当て部１２の上部側であって背負いベルト１３の上端部側に掛止部１６の両端部がそれぞれ固設された帯状の部材である。掛止部１６は略環状であるため、壁などに設けられたフックなどに引っ掛けることができ容易に収納することができ、折り畳み椅子付き背負い鞄が突然に倒れたりすることを防ぐことができる。さらに、掛止部１６は使用者の手のひらがすっぽりと入る程度の空間を有しているため、使用者は掛止部１６を保持することによって、折り畳み椅子付き背負い鞄を容易に持ち運びすることができる。本実施形態において、掛止部１６は背負い鞄１と同質の素材から成るが、持ち運びができる程度の強度があり、背負い鞄１を背負ったときに背中に当たるなど不快感を伴うものでなければ、樹脂製、金属製など他の素材でもよい。
【００３０】
折り畳み椅子２は、互いに連結された第１フレーム２１と第２フレーム２２、及び、第１フレーム２１と第２フレーム２２の上辺の間に張設された座面部２３を備える部材である。第１フレーム２１及び第２フレーム２２は夫々略矩形状からなり、角部は湾曲している。第１フレーム２１は、本体部１１の側面を囲むように取り付けられ、第２フレーム２２は第１フレーム２１の外側に配設されている。第１フレーム２１と第２フレーム２２は連結部２４を介してX字状に交差して回動可能に連結されている。
【００３１】
したがって、折り畳み椅子付き背負い鞄を椅子として使用する場合、折り畳み椅子２を広げて使用する。具体的には、第１フレーム２１の上部２１ａと第２フレーム２２の上部２２ａを離間し、座面部２３が平面状もしくは略U字状になるように引っ張られた状態にして、座面部２３の引き張りと連結部２４において、折り畳み椅子２は固定される。第１フレーム２１と第２フレーム２２は連結部２４を介してX字状に交差しており、軸方向から折り畳み椅子２を見ると、背負い鞄１が第１フレーム２１と第２フレーム２２の下部２１ｂ、２２ｂよりも上方に位置しているため、背負い鞄１の本体部１１が地面に接することはなく背負い鞄１が土などによって汚れることを防ぐ。なお、折り畳み椅子付き背負い鞄を背負うと、第１フレーム２１の上部２１ａと第２フレーム２２の上部２２ａは背負い鞄１の上面部１１ａの中央近傍に収まり、背負い鞄１として背負っても折り畳み椅子２が背負い鞄１の上でぐらついたりせず安定して背負うことができる。
【００３２】
一方、折り畳み椅子付き背負い鞄を収納する場合、第１フレーム２１と第２フレーム２２を重ねることで収納することができる。折り畳み椅子２が収納された場合、折り畳み椅子２を連結部２４の軸方向から見ると、第１フレーム２１と第２フレーム２２の間に隙間が設けられているが、連結部２４に直交する方向（背負い鞄の正面）から見ると、第１フレーム２１と第２フレーム２２はほぼ重なっている。つまり、連結部２４の軸方向から見るとＸ状に交差しているため側面視Ｘ状であり、折り畳むと側面視略Ｉ状になり、コンパクトに収納できる。また、折り畳み椅子２を折り畳むと、座面部２３も内側に折り畳まれ張りは緩み、背負い鞄１が固設された座面部２３の中央部は下方に下がる。
【００３３】
そして、第１フレーム２１と第２フレーム２２を広げたときの連結部２４における軸方向の幅と、連結部２４の軸方向に直交する第１フレーム２１と第２フレーム２２の高さは背負い鞄１を収納できる空間を有し、省スペースで収納することができる。本実施形態において、第１フレーム２１と第２フレーム２２はアルミなどの金属性のパイプであるが、カーボンファイバー、樹脂製、木製など椅子としての強度があり、連結部２４で連結することができる部材であればよい。
【００３４】
座面部２３は、折り畳み椅子２の第１フレーム２１と第２フレーム２２の間であって上辺に張設された柔軟性を有する部材であり、椅子の座面となる略方形の部材である。座面部２３の短手方向における両端部２３１は、第１フレーム２１と第２フレーム２２の上部２１ａ、２２ａを外側から内側に覆うように巻き付け、座面部２３の裏側２３２にそれぞれ固設されている。座面部２３の両端部２３１は、座面部２３に固設された本体部１１よりも外側で固設されているため、座面部２３と本体部１１が重ならず、椅子として使用している場合であっても、本体部１１の外周に設けられた線ファスナーを容易に開閉することができ、内部に物品を収納したり内部から物品を取り出したりすることが容易にできる。
【００３５】
座面部２３を折り畳み椅子に固定する方法は、縫い合わせ、粘着剤による接着や熱圧着などの方法により行うことができる。また、本実施形態において、座面部２３は背負い鞄１と同じ素材であるが、布、ポリエステルなど折り畳みが可能で柔軟な素材であればよい。
【００３６】
本考案にかかる折り畳み椅子付き背負い鞄は、２リットルのペットボトルが２本入る大きさであるが、種々の大きさを用意することができ、子供から大人まで幅広く適用することができる。
【符号の説明】
【００３７】
１・・・背負い鞄
１１・・本体部
１１ａ・上面部
１２・・背当て部
１２１・第１係止部
１３・・背負いベルト
１３１・ベルト状部材
１３２・長さ調節ベルト
１３３・長さ調節部
１４・・収納蓋
１４ａ・裏側
１４１・第２係止部
１４２・第３係止部
１５・・固定部材
１６・・掛止部
２・・・折り畳み椅子
２１・・第１フレーム
２１ａ・上部
２１ｂ・下部
２２・・第２フレーム
２２ａ・上部
２２ｂ・下部
２３・・座面部
２３１・・端部
２３２・・裏側
２４・・連結部
【図１】
0003218913.tif 000003
【図２】
0003218913.tif 000004
【図３】
0003218913.tif 000005
【図４】
0003218913.tif 000006
【図５】
0003218913.tif 000007
【図６】
0003218913.tif 000008